(57)【特許請求の範囲】
【請求項１】
円弧状に湾曲する表面側スキンプレートと平板状の背面側スキンプレートを備えて弓形断面形状としてなる扉体の長手方向両端部を、左右一対の支持円盤に取り付けてゲート本体を構成し、該ゲート本体の左右の支持円盤を、河川幅方向に設置した左右の支持柱部材に回転自在に且つ任意の回転角度で固定できるように支持させ、更に、上記左右の支持柱部材間の河床部に、上記扉体断面に対応する収容凹部を設けてなる回転式ゲートにおいて、上記扉体の背面側スキンプレートに開口した吸入口と表面側スキンプレートに開口した吐出口とを連通する流路を形成し、該流路内の途中位置にポンプを設け、更に、上記流路の吐出側端部に逆止弁を設けた構成を有することを特徴とする回転式ゲート。
【請求項２】
流路を、扉体の背面側スキンプレートと直角方向に直線状に形成し、該流路の途中位置に、横形ポンプを設けた請求項１記載の回転式ゲート。
【請求項３】
扉体の背面側スキンプレートに開口した吸入口と表面側スキンプレートに開口した吐出口の位置を扉体の幅方向に位相をずらして設けて、該吸入口と吐出口を連通させる流路をクランク状に屈曲させて形成し、該流路の途中位置に立形ポンプを設けた請求項１記載の回転式ゲート。
【請求項４】
扉体の表面側スキンプレートを下流側に向けて全閉状態としたときに、流路の吸入口の下部位置が、河床部とほぼ同一の高さレベルとなるようにした請求項１、２又は３記載の回転式ゲート。
【発明の詳細な説明】
【０００１】
【発明の属する技術分野】
本発明は河川や水路の途中に設置して堰作用により水位調節に用いることができると共に、下流側が増水した場合には上流側から下流側へ水を強制排水できるようにするためのポンプを備えた回転式ゲートに関するものである。
【０００２】
【従来の技術】
河川途中に設けられて流量調節等を行うゲートとしては、ローラーゲート方式のものが一般的に用いられている。かかるローラーゲートは、河川の幅方向に所要間隔で鉛直な支持柱部材（ピア）を設置し、隣接する各支持柱部材間にゲート扉体を昇降可能に設けると共に、該ゲート扉体を支持柱部材の上端部に設置した開閉装置により昇降（開閉）できるようにしたものであるが、上記支持柱部材は、ゲート扉体の水面上への引き上げに対応した高さ寸法を確保する必要があると共に、支持柱部材の上端部に昇降装置を設置するようにしてあることから、大きな構造物が水面上に突出することとなり、周囲環境や景観に少なからず影響を与え、好ましくない場合が生じていた。
【０００３】
そのため近年、支持柱部材の上端部に昇降装置を設ける必要をなくして上記ローラーゲートの有する如き問題点を解消できるゲート形式の１つとして、回転式ゲートが開発されてきている。
【０００４】
かかる回転式ゲートは、図４（イ）（ロ）（ハ）及び図５にその一例の概略を示す如く、河川６の幅方向に所要間隔で設置した支持柱部材７に、相対峙させて左右一対の支持円盤２をそれぞれ中心位置に配した回転軸８を介して回転自在に支持させ、該各支持円盤２の周辺部に、該支持円盤２の半円形よりもやや小さい弓形断面形状を備えた扉体３の両端部を取り付けてゲート本体１を構成して、回転軸８を中心にゲート本体１が回転できるようにしてある。上記扉体３は、左右方向に延び且つ上記支持円盤２の外周とほぼ等しい径で所定角度範囲の円弧に沿って幅方向に湾曲する表面側スキンプレート４と、上記円弧の弦に沿って左右方向に延びる平板状の背面側スキンプレート５と、内部の図示しない補強材とからなる構成としてある。又、たとえば、一方の支持円盤２の外周縁部に設けたラック１０と、対応する側の支持柱部材７の内部に設置した駆動装置としての油圧モータ１１と、該油圧モータ１１の出力軸に一体に取り付けて上記ラック１０に噛合させたピニオン１２とからなるピニオン・ラック機構等の回転駆動機構９を設けて、該回転駆動機構９によりゲート本体１を回転駆動すると共に任意の回転角度で固定できるようにすることにより、該ゲート本体１の扉体３を河川６内にて任意の角度に配置できるようにしてある。
【０００５】
又、上記ゲート本体１の設置位置と対応する左右の支持柱部材７間の河床部１３には、上記扉体３の弓形断面形状に対応する収容凹部１４を掘り下げて設けて、表面側スキンプレート４を下方に向け且つ背面側スキンプレート５が水平になるようにゲート本体１を配置したときに、該ゲート本体１の最下端部に位置する扉体３を、図４（イ）の如く上記収容凹部１４に収容できる構成としてある。
【０００６】
上記回転式ゲートの使用法としては、回転駆動機構９によりゲート本体１を所要量回転させて、図４（イ）に示す如く、扉体３の表面側スキンプレート４が下方に向き且つ背面側スキンプレート５が水平となるようにゲート本体１を配置し、これにより扉体３を河床部１３の収容凹部１４に収容させることにより、河川を全開状態とさせて、河川上流側Ｕより下流側Ｄへ水を自然流下させることができ、又、河川上流側Ｕの水位調節を行う場合は、図４（ロ）に示す如く、回転駆動機構９によりゲート本体１を、図４（イ）に示した状態より図上反時計方向へ所要角度回転させて固定し、これにより扉体３の表面側スキンプレート４を上流側Ｕに向けると共に、扉体３の幅方向一端縁部３ａ側を、収容凹部１４より所要高さ位置まで突出させて、該扉体３を堰として作用させるようにすることにより、河川上流側Ｕの水位が上記扉体一端縁部３ａの高さレベルに達するまで水位を上昇させ、上昇した水位が扉体一端縁部３ａを越えるようになると図４（ロ）に示す如く水を越流させて、河川上流側Ｕの水位を上記扉体３の一端縁部３ａの高さレベルに調節できるようにしてある。更に、図４（ハ）に示す如く、回転駆動機構９により更にゲート本体１を回転駆動させて、扉体３の背面側スキンプレート５が垂直な配置となるようにゲート本体１を配置させることにより、河川６を全閉状態として、上流側Ｕの水位を更に高いレベルに保持することもできるようにしてある。
【０００７】
なお、上記において、扉体３の表面側スキンプレート４と収容凹部１４との間、及び、左右の各支持円盤２と対応する支持柱部材７との間には図示しないシール機構を設けてそれぞれシールすることにより、下流側への漏水を防止できるようにしてある。
【０００８】
一方、本川となる比較的大規模な河川につながっている雨水排水路や農業用水路等の比較的小規模な河川（水路を含む）には、通常、上流側から下流側へ流れる水量を調節して本川への排水量を調節するための排水ゲートが設置されているが、台風又は集中豪雨時等、本川及び小河川への水の流入量が一時的に増大して水位が急激に上昇する場合には、排水ゲートを全開にしても小河川の水（内水）を充分に排出できなくなるだけでなく、本川の水（外水）が小河川へ逆流すると、小河川から水が溢れることにより周囲が冠水して大きな災害が起ることになる。そのため、このような災害を防ぐための一手段として、上流側から下流側へ水を強制排水できて、本川の水位が上昇しても本川から小河川への水の逆流を防止できるようにした排水設備としてのポンプゲートが小河川の途中に設置される場合がある。
【０００９】
この種ポンプゲートの一例としては、たとえば、特開２００１−１２３４３４号公報に開示された跳ね上げ式ポンプゲートがある。これは、図６にその一例の概略を示す如く、下流側で図示しない本川につながっている小河川としての水路１５の途中の所要個所に、該水路１５を閉塞し得る形状としてあるゲート扉体１６を、上端部のヒンジ機構１７を介して上下方向に回動自在に軸支し、該ヒンジ機構１７の軸１８に、モータやエンジンの如き回転駆動手段１９を減速機２０を介して連結して、該回転駆動手段１９より減速機２０及びヒンジ機構１７の軸１８を介して伝達される回転駆動力により上記ゲート扉体１６を上方に跳ね上げるように回転させて水路１５より引き上げることで該水路１５を開放できるようにすると共に、ゲート扉体１６を下方に回転させることにより該ゲート扉体１６にて水路１５を閉塞できるようにしてあり、更に、上記ゲート扉体１６の下部所要位置に、図示の如くクランク状に屈曲して両端部がゲート扉体１６の上流、下流の両側面に開口する流路２１を設けると共に、該流路２１の途中位置に、ポンプ２２を設けた構成として、水路１５の水位（内水位）よりも本川の水位（外水位）が低いときには、図６に二点鎖線で示す如く、回転駆動手段１９によりゲート扉体１６を上方へ跳ね上げて水路１５を開放させ、水路１５の水を上流側Ｕから下流側Ｄへ自然流下させることにより本川へ排水させるようにし、一方、内水位よりも外水位が高くなる時には、図６に実線で示す如く、逆流を防ぐために、回転駆動手段１９によりゲート扉体１６を下方へ回動させて、該ゲート扉体１６により水路１５を閉鎖すると共に、ポンプ２２を運転することにより、上流側Ｕより下流側Ｄへ流路を通して水を強制的に排水させ、これにより低水位側となる内水を強制的に高水位側となる本川へ排水できるようにしてある。
【００１０】
【発明が解決しようとする課題】
ところが、図４（イ）（ロ）（ハ）及び図５に示した従来の回転式ゲートは、堰作用によって水位を調節するのみであって、上流側Ｕよりも下流側Ｄが高水位となった場合に、低水位側となる上流側Ｕから高水位側となる下流側Ｄへの水の強制排水（揚水）を行うことができるものではないため、台風又は集中豪雨時等における本川増水時に、水の逆流防止を図ると共に本川への水の強制排水を行う必要が生じるような小河川への採用は困難である。
【００１１】
一方、図６に示した跳ね上げ式ポンプゲートでは、ポンプ２２による低水位側から高水位側への水の強制排出を行うことはできるが、水位を調節することはできないという問題がある。
【００１２】
そこで、本発明は、堰作用による水位調節機能と、上流側から下流側への強制排水機能を兼ね備えて、本川増水時に水の逆流防止を図る必要が生じるような小河川への設置に有利な回転式ゲートを提供しようとするものである。
【００１３】
【課題を解決するための手段】
本発明は、上記課題を解決するために、円弧状に湾曲する表面側スキンプレートと平板状の背面側スキンプレートを備えて弓形断面形状としてなる扉体の長手方向両端部を、左右一対の支持円盤に取り付けてゲート本体を構成し、該ゲート本体の左右の支持円盤を、河川幅方向に設置した左右の支持柱部材に回転自在に且つ任意の回転角度で固定できるように支持させ、更に、上記左右の支持柱部材間の河床部に、上記扉体断面に対応する収容凹部を設けてなる回転式ゲートにおいて、上記扉体の背面側スキンプレートに開口した吸入口と表面側スキンプレートに開口した吐出口とを連通する流路を形成し、該流路内の途中位置にポンプを設け、更に、上記流路の吐出側端部に逆止弁を設けた構成とする。
【００１４】
上流側よりも下流側の水位が低い場合は、扉体がゲート本体の上端部に位置するようにゲート本体の回転角度を固定すると、扉体が水面から引き上げられて河川が全開状態に開放されるため、水は上流側より下流側へ自然流下させられる。又、河川上流側の水位調節を行う場合は、ゲート本体を、扉体の表面側スキンプレートが上流側を向くように所要角度傾けて固定すると、扉体の幅方向一端縁部側が、河床部より所要量上方へ突出して堰として作用させられるため、河川上流側の水位は、上記扉体一端縁部の高さレベルに調節される。
【００１５】
一方、河川上流側よりも下流側の水位が高くなるときには、扉体の表面側スキンプレートが下流側を向くよう所要角度傾いた状態にゲート本体を固定すると、扉体の幅方向他端縁部が河床部より所要量上方へ突出し、河川下流側の水に対して堰として作用するようになることから、下流側の水位が扉体の他端縁部の高さレベルまでに保持されるようになり、更に、上流側流域の冠水防止等のために、上流側から下流側への強制排水を行う必要が生じた場合は、扉体の表面側スキンプレートが下流側に向き且つ背面側スキンプレートが垂直配置となる全閉状態にゲート本体を固定して、流路の吸入口を上流側に、又、吐出口を下流側にそれぞれ露出させた状態とすると共に、ポンプを運転すると、上流側より吸入口を通して流路に取り入れられた水が吐出口より下流側へ強制的に排出されることから、上流側から下流側への強制排水が行われる。
【００１６】
又、流路を、扉体の背面側スキンプレートと直角方向に直線状に形成し、該流路の途中位置に、横形ポンプを設けた構成とすることにより、横形ポンプを採用した回転式ゲートを容易に構成できる。
【００１７】
更に、扉体の背面側スキンプレートに開口した吸入口と表面側スキンプレートに開口した吐出口の位置を扉体の幅方向に位相をずらして設けて、該吸入口と吐出口を連通させる流路をクランク状に屈曲させて形成し、該流路の途中位置に立形ポンプを設けた構成とすることにより、立形ポンプを採用した回転式ゲートを容易に構成できる。
【００１８】
更に又、扉体の表面側スキンプレートを下流側に向けて全閉状態としたときに、流路の吸入口の下部位置が、河床部とほぼ同一の高さレベルとなるようにした構成とすることにより、扉体の上流側における横形ポンプ或いは立形ポンプの最低吸水位を、低いレベルに設定することができる。
【００１９】
【発明の実施の形態】
以下、本発明の実施の形態を図面を参照して説明する。
【００２０】
図１及び図２（イ）（ロ）（ハ）は本発明の回転式ゲートの実施の一形態を示すもので、図４（イ）（ロ）（ハ）及び図５に示した回転式ゲートと同様な構成において、扉体３の長手方向所要間隔位置に、背面側スキンプレート５に開口させた吸入口２３ａと、表面側スキンプレート４に開口させた吐出口２３ｂとを連通する流路２３を、背面側スキンプレート５と直角方向に直線状に形成し、且つ該流路２３の途中位置における軸心部に、支持部材２７を介して流路２３の内面に固定した水中電動機２５と、該水中電動機２５の出力軸に一体に連結した軸流のポンプ翼２６を備えてなる横形の水中ポンプ（横形ポンプ）２４を設置して、該横形ポンプ２４の運転により、吸入口２３ａから流路２３内に水を取り入れて吐出口２３ｂより強制的に排出できるようにし、更に、上記流路２３の吐出口２３ｂ側端部位置に、逆止弁としてのフラップ弁２８を設ける。
【００２１】
上記流路２３は、図１に示す如く、扉体３の表面側スキンプレート４を下流側に向け、且つ背面側スキンプレート５を垂直に配置して全閉状態となるようにゲート本体１を固定したときに、吸入口２３ａの位置が収容凹部１４の上流、下流両側における河川６の河床部１３よりも高いレベルになるように形成する。この際、流路２３の吸入口２３ａの下部位置は、図１に示す如く、河床部１３とほぼ同一の高さレベルになるように形成してある。
【００２２】
なお、上記フラップ弁２８は、ゲート本体１の回転駆動に伴って上下逆の配置となった場合に、自重により開放されることのないように、ばね等の図示しない自重バランス機構を内蔵して備えた構成としてある。その他の構成は図４（イ）（ロ）（ハ）及び図５に示したものと同様であり、同一のものには同一符号が付してある。
【００２３】
次に、図１及び図２（イ）（ロ）（ハ）を用いて上記本発明の回転式ゲートの使用方法について説明する。
【００２４】
先ず、上流側Ｕよりも下流側Ｄの水位が低い場合、図５に示した回転駆動機構９と同様な回転駆動機構（図示せず）によりゲート本体１を所要角度回転駆動させて、図２（イ）に示す如く、扉体３の表面側スキンプレート４が上方に向き且つ背面側スキンプレート５が水平に配置されるようにして、該扉体３をゲート本体１の最上端部に位置させた状態でゲート本体１を固定する。これにより、扉体３は水面から完全に引き上げられて、河川６は扉体３により何ら遮られることなく全開状態とされるため、河川上流側Ｕより下流側Ｄへ水は自然流下させられる。
【００２５】
又、河川上流側Ｕの水位調節を行う場合は、図２（ロ）に示す如く、回転駆動機構によりゲート本体１を所要角度回転させて、図４（ロ）に示した場合と同様に、表面側スキンプレート４が上流側Ｕを向くように扉体３を所要角度傾けた状態としてゲート本体１を固定する。これにより扉体３の幅方向一端縁部３ａが河床部１３より所要量上方へ突出させて堰として作用するようになるため、河川上流側Ｕの水位は、上記扉体一端縁部３ａの高さレベルに保たれるよう調節される。更に、図２（ロ）に二点鎖線で示す如く、図４（ハ）に示した場合と同様に、回転駆動機構によりゲート本体１を、扉体３の表面側スキンプレート４が上流側に向き且つ背面側スキンプレート５が垂直配置となるように回転させて固定すると、河川６は扉体３により閉塞された全閉状態とされるため、河川上流側Ｕの水位は更に高いレベルに保持される。
【００２６】
一方、河川上流側Ｕよりも下流側Ｄの水位が高くなるときには、図２（ハ）に示す如く、回転駆動機構により、扉体３の表面側スキンプレート４が、下流側を向いた状態で扉体３が所要角度傾いた配置となるように、ゲート本体１を回転駆動させて固定する。これにより扉体３の幅方向他端縁部３ｂが河床部１３より所要量上方へ突出させられて、下流側Ｄの水に対して堰として作用するようになることから、下流側Ｄの水位は扉体３の他端縁部３ｂの高さレベルまでに保持されるようになる。
【００２７】
更に、河川上流側Ｕよりも下流側Ｄの水位が高い場合において、たとえば、上流側Ｕの流域の冠水等の災害防止のために上流側Ｕから下流側Ｄへの強制排水を行う必要が生じた場合は、図１に示す如く、扉体３の表面側スキンプレート４が下流側に向き、且つ背面側スキンプレート５が垂直配置となる全閉状態とさせて、流路２３の吸入口２３ａを上流側Ｕに、又、吐出口２３ｂを下流側Ｄにそれぞれ露出させた状態でゲート本体１を固定して横形ポンプ２４の運転に備え、その後、上流側Ｕの水位が横形ポンプ２４の最低吸水位に達した時点で該横形ポンプ２４の運転を開始させる。横形ポンプ２４の運転により、河川上流側Ｕより吸入口２３ａを通して流路２３に水が取り入れられ、且つ該水が吐出口２３ｂを通して下流側Ｄへ強制的に排出されることから、上流側Ｕから下流側Ｄへの強制排水が行われるようになる。この際、上記流路２３の吐出側端部には、フラップ弁２８が設けてあることから、横形ポンプ２４の運転に備えている間に、流路２３を通して高水位の下流側Ｄから低水位の上流側Ｕへ水が流通することはなく、且つ該フラップ弁２８は、横形ポンプ２４の運転に伴う流路２３の吸入口２３ａ側から吐出口２３ｂ側へ向かう水流により開放されるため、下流側Ｄから上流側Ｕへ水が逆流することはない。
【００２８】
このように、上記本発明の回転式ゲートによれば、従来の回転式ゲートと同様に堰作用による河川６の水位調節を行うことができると共に、上流側Ｕよりも下流側Ｄの水位が高くなった場合にも、扉体３を堰として作用させると同時に横形ポンプ２４を運転することにより、河川上流側Ｕより下流側Ｄへ水を強制排水させることができ、このため本川増水時に水の逆流防止を図ると共に、上流側の冠水等の災害防止のために強制排水する必要が生じるような小河川への設置に有利なものとすることができる。
【００２９】
又、流路２３は、背面側スキンプレート５と直角方向に直線状に形成して、上流側Ｕから下流側Ｄへの強制排水を行うべく扉体３の表面側スキンプレート４を下流側Ｄに向けて全閉状態に配置すると、水平方向に配されるようにしてあるため、該流路２３内に横形ポンプ２４を設けることにより横形ポンプを採用した回転式ゲートを容易に構成できる。
【００３０】
更に、流路２３の吸入口２３ａは、扉体３の表面側スキンプレート４を下流側に向けて全閉状態に配置したときに、河床部１３より高いレベルに自由に形成できるが、吸入口２３ａの下部位置を河床部１３とほぼ同一の高さレベルに形成することにより、横形ポンプ２４の最低吸水位を低いレベルに設定することができる。
【００３１】
次に、図３は本発明の実施の他の形態を示すもので、図１及び図２（イ）（ロ）（ハ）に示したものと同様な構成としてある回転式ゲートにおいて、流路に設けるポンプとして横形ポンプ２４に代えて、立形ポンプ２９を採用できるようにしたものである。すなわち、背面側スキンプレート５に開口させた吸入口３０ａと表面側スキンプレート４に開口させた吐出口３０ｂとを、扉体３の幅方向に位相をずらして設け、且つ上記吸入口３０ａと吐出口３０ｂを連通する流路３０をクランク状に屈曲させて形成し、該流路３０の中間部軸心位置に、流路３０の内面に支持部材２７にて固定した水中電動機３１と、該水中電動機３１の出力軸に一体に連結した軸流または斜流のポンプ翼３２とからなる立形ポンプ２９を設置した構成とする。
【００３２】
上記流路３０の吸入口３０ａは、扉体３の表面側スキンプレート４を下流側Ｄに向けて全閉状態にゲート本体１を固定したときに、背面側スキンプレート５における河床部１３より高いレベルになるよう形成し、たとえば、吸入口３０ａの下部が河床部１３とほぼ同じ高さレベル位置に開口するようにする。又、吐出口３０ｂは、ゲート本体１を上記と同様に配置したときに、表面側スキンプレート４の上部位置に開口するようにしてある。
【００３３】
上記流路３０の吐出側端部には、図１及び図２（イ）（ロ）（ハ）に示したフラップ弁２８と同様のフラップ弁２８が設置してある。その他の構成は図１及び図２（イ）（ロ）（ハ）に示したものと同様であり、同一のものには同一符号が付してある。
【００３４】
本実施の形態によっても上記実施の形態と同様に扉体３の堰作用による水位調節効果を得ることができ、又、河川上流側Ｕよりも下流側Ｄの水位が高い場合において上流側Ｕより下流側Ｄへ強制排水を行う必要が生じた場合には、扉体３の表面側スキンプレート４を下流側Ｄに向け且つ背面側スキンプレート５が垂直配置となる全閉状態にゲート本体１を固定して、流路３０の吸入口３０ａを上流側３０ａに、又、吐出口３０ｂを下流側３０ｂにそれぞれ露出させた状態で立形ポンプ２９を運転することにより、吸入口３０ａより流路３０に取り入れた水を吐出口３０ｂより強制的に排出させて、上流側Ｕから下流側Ｄへの強制排水を実施できるため、上記実施の形態と同様に、本川増水時に水の逆流防止を図ると共に、上流側の冠水等の災害防止のために強制排水する必要が生じるような小河川への設置に有利なものとすることができる。
【００３５】
又、流路３０は、扉体３の幅方向に位相をずらして設けた背面側スキンプレート５の吸入口３０ａと表面側スキンプレート４の吐出口３０ｂとをクランク状に屈曲して連通させるように形成してあるため、上流側Ｕから下流側Ｄへの強制排水を行うべく扉体３の表面側スキンプレート４を下流側Ｄに向けて全閉状態に配置すると、流路３０の中間部は垂直方向の配置となり、このため該流路３０内の中間部位置に立形ポンプ２９を設けることにより、立形ポンプ２９を採用した回転式ゲートを容易に構成できる。
【００３６】
なお、本発明は上記実施の形態のみに限定されるものではなく、回転駆動機構９としてはゲート本体１の一方の支持円盤２の外周部に設けたラック１０と、油圧モータ１１の出力軸一体に連結したピニオン１２を噛合させてなるピニオン・ラック機構を例示したが、ゲート本体１を回転駆動させると共に、任意の回転角度で固定できれば、回転駆動機構としては任意の形式のものを採用してよいこと、逆止弁としてはフラップ弁２８を採用するものとして示したが、通常は流路２３，３０の吐出口２３ｂ、３０ｂ側から吸入口２３ａ，２３ｂへの逆流を防止できると共に、横形ポンプ２４又は立形ポンプ２９の運転時には吸入口２３ａ，３０ａから流路２３，３０へ取り入れた水を吐出口２３ｂ、３０ｂ側へ流通させることができれば、任意の形式のものを採用してよいこと、扉体３の表面側スキンプレート４を下流側Ｄに向けて全閉状態にゲート本体１を配置した時に、図１及び図２（イ）（ロ）（ハ）に示したものでは流路２３は水平方向に延びるものとし、又、図３に示した実施の形態では、流路３０はクランク状に屈曲した形状となるものとして示したが、背面側スキンプレート５に開口した吸入口３０ａと表面側スキンプレート４に開口した吐出口３０ｂとを連通させることができれば、流路の扉体３内における経路は図示以外の形状を採用してもよいこと、その他、本発明の要旨を逸脱しない範囲内において種々変更を加え得ることは勿論である。
【００３７】
【発明の効果】
以上述べた如く、本発明の回転式ゲートによれば、円弧状に湾曲する表面側スキンプレートと平板状の背面側スキンプレートを備えて弓形断面形状としてなる扉体の長手方向両端部を、左右一対の支持円盤に取り付けてゲート本体を構成し、該ゲート本体の左右の支持円盤を、河川幅方向に設置した左右の支持柱部材に回転自在に且つ任意の回転角度で固定できるように支持させ、更に、上記左右の支持柱部材間の河床部に、上記扉体断面に対応する収容凹部を設けてなる回転式ゲートにおいて、上記扉体の背面側スキンプレートに開口した吸入口と表面側スキンプレートに開口した吐出口とを連通する流路を形成し、該流路内の途中位置にポンプを設け、更に、上記流路の吐出側端部に逆止弁を設けた構成としてあるので、従来の回転式ゲートと同様に堰作用により水位の調整を行うことができ、更に、河川上流側よりも下流側の水位が高くなる場合には、扉体の表面側スキンプレートが下流側を向き且つ流路の吸入口が上流側に、吐出口が下流側にそれぞれ露出するようにゲート本体を固定してポンプを駆動させることにより、河川上流側に臨む吸入口側から流路に取り入れた水を、下流側に臨む吐出口へ強制的に排出することができて、上流側から下流側への水の強制排水を行うことができ、このため本川の増水時に水の逆流防止を図りながら強制排水する必要が生じる小河川への設置に有利なものとすることができるという優れた効果を発揮し、又、流路を、扉体の背面側スキンプレートと直角方向に直線状に形成し、該流路の途中位置に、横形ポンプを設けた構成とすることにより、横形ポンプを採用した回転式ゲートを容易に構成できるという優れた効果を発揮する。更に、扉体の背面側スキンプレートに開口した吸入口と表面側スキンプレートに開口した吐出口の位置を扉体の幅方向に位相をずらして設けて、該吸入口と吐出口を連通させる流路をクランク状に屈曲させて形成し、該流路の途中位置に立形ポンプを設けた構成とすることにより、立形ポンプを採用した回転式ゲートを容易に構成できるという優れた効果を発揮する。更に又、扉体の表面側スキンプレートを下流側に向けて全閉状態としたときに、流路の吸入口の下部位置が、河床部とほぼ同一の高さレベルとなるようにした構成とすることにより、扉体の上流側における横形ポンプ或いは立形ポンプの最低吸水位を、低いレベルに設定することができるという優れた効果を発揮する。
【図面の簡単な説明】
【図１】本発明の回転式ゲートの実施の一形態を示す概略切断側面図である。
【図２】図１の回転式ゲートの使用状態を示すもので、（イ）は全開状態を、（ロ）は上流側の水位調節を行う状態を、（ハ）は下流側の水位調節を行なう状態をそれぞれ示す概略切断側面図である。
【図３】本発明の実施の他の形態を示す概略切断側面図である。
【図４】従来の回転式ゲートの一例を示すもので、（イ）は全開状態を、（ロ）は上流側の水位調節を行う状態を、（ハ）は全閉状態をそれぞれ示す概略切断側面図である。
【図５】図４（イ）の状態としてある回転式ゲートの概略正面図である。
【図６】跳ね上げ式ポンプゲートの一例の概略を示す切断側面図である。
【符号の説明】
１  ゲート本体
２  支持円板
３  扉体
４  表面側スキンプレート
５  背面側スキンプレート
６  河川
７  支持柱部材
１３  河床部
１４  収容凹部
２３  流路
２３ａ  吸入口
２３ｂ  吐出口
２４  横形ポンプ
２８  逆止弁（フラップ弁）
２９  立形ポンプ
３０  流路
３０ａ  吸入口
３０ｂ  吐出口
【図１】
0003834227.tif 000002
【図２】
0003834227.tif 000003
【図３】
0003834227.tif 000004
【図４】
0003834227.tif 000005
【図５】
0003834227.tif 000006
【図６】
0003834227.tif 000007